(57)【要約】【課題】バケットに適合するツース盤を調べ易く、簡便な適合ツース盤早見帳を提供する。【解決手段】適合ツース盤早見帳１は、複数の建機メーカーのそれぞれに対応した索引タブ５を有するページ群２０を備える。ページ群２０のうち、一の建機メーカーの名称が記された索引タブ５を有するページには、当該一の建機メーカーによる建機の機種名から当該建機のバケットに適合する適合ツース盤を選定可能に構成された選定表６が記される。選定表６は、建機の機種名が記された機種表示部に対応して配列されたバケット情報表示部及びツース盤情報表示部を有する。バケット情報表示部には、機種名に応じたバケットである対応バケットに関する情報が表示される。ツース盤情報表示部には、対応バケットに適合する適合ツース盤が存在する場合には当該ツース盤の名称が表示される。【選択図】図２
0003231834.tif 000002
【実用新案登録請求の範囲】
【請求項１】
冊子から構成される適合ツース盤早見帳であって、
複数の建機メーカーのそれぞれに対応した索引タブを小口部に有するページ群を備え、
前記ページ群のうち、前記複数の建機メーカーに含まれる一の建機メーカーの名称が記された索引タブを有するページには、前記一の建機メーカーによる建機の機種名から当該建機のバケットに適合する適合ツース盤を選定可能に構成された選定表が記され、
前記選定表は、前記機種名が記された機種表示部と、前記機種表示部に対応して配列されたバケット情報表示部及びツース盤情報表示部とを有し、
前記バケット情報表示部には、前記機種名に応じたバケットである対応バケットに関する情報が表示され、
前記ツース盤情報表示部は、前記対応バケットに適合するツース盤としての前記適合ツース盤が存在するか否かを示す適合表示部を含み、
前記適合表示部には、前記適合ツース盤が存在する場合には当該ツース盤の名称が表示され、前記適合ツース盤が存在しない場合にはその旨を示す情報が表示されている、
適合ツース盤早見帳。
【請求項２】
前記バケット情報表示部は、前記対応バケットが標準仕様であるかオプション仕様であるかを示す仕様欄と、前記対応バケットに適合するアダプタに関する情報を示すアダプタ欄と、前記対応バケットに装着可能な爪数を示す爪数欄と、前記対応バケットのサイズを示すバケットサイズ欄と、の少なくともいずれかを含んで構成される、
請求項１に記載の適合ツース盤早見帳。
【請求項３】
前記バケット情報表示部は、前記バケットサイズ欄を含み、
前記バケットサイズ欄には、前記対応バケットのバケット幅が記されると共に、サイドカッター幅も必要に応じて記されており、
前記ツース盤情報表示部は、前記適合表示部に前記適合ツース盤の名称が表示されている場合に、当該名称のツース盤の商品情報を表示する商品情報表示部をさらに含み、
前記商品情報表示部は、前記商品情報として、前記バケット幅に応じた第１のタイプ、及び、前記サイドカッター幅に応じた第２のタイプの各々に対応した情報を表示可能である、
請求項２に記載の適合ツース盤早見帳。
【請求項４】
前記ツース盤情報表示部は、前記適合表示部に前記適合ツース盤の名称が表示されている場合に、当該名称のツース盤を選定する際の注意事項を知らせることが可能な注釈表示部をさらに含む、
請求項１〜３のいずれか１項に記載の適合ツース盤早見帳。
【請求項５】
前記適合ツース盤を選定する際の手順が記された表紙をさらに備える、
請求項１〜４のいずれか１項に記載の適合ツース盤早見帳。
【考案の詳細な説明】
【技術分野】
【０００１】
本考案は、適合ツース盤早見帳に関する。
【背景技術】
【０００２】
例えば、特許文献１には、油圧ショベル、ローディングショベル等の建設機械（以下、建機）のバケットに、建機で行う作業に応じて装着可能なツース盤が開示されている。ツース盤は、バケットの先端部に設けられたアダプタを介してバケットに装着される。
【先行技術文献】
【特許文献】
【０００３】
【特許文献１】登録実用新案第３２２１５３１号公報
【考案の概要】
【考案が解決しようとする課題】
【０００４】
土木作業員等のユーザが建機のバケットに適合するツース盤を選定する際には、ツース盤の供給者によって提供されるカタログを用いることが一般的である。この種のカタログは、ツース盤の型番に対して、当該ツース盤が適応可能なバケットの情報が記されて構成される。
【０００５】
しかしながら、ユーザの立場になれば、土木作業で使用する建機のバケットに適合するツース盤をいち早く知りたいはずであり、ツース盤の型番からバケットの情報を調べるカタログの構成は、ユーザのニーズに十分に応えられているとは言い難い。また、前述のカタログはＡ４等の比較的大判の紙に印字されただけの物であることが多く、現場においてユーザがバケットに適合するツース盤を調べるには不便である。
【０００６】
本考案は、上記実状に鑑みてなされたものであり、バケットに適合するツース盤を調べ易く、簡便な適合ツース盤早見帳を提供することを目的とする。
【課題を解決するための手段】
【０００７】
上記目的を達成するため、本考案に係る適合ツース盤早見帳は、
冊子から構成される適合ツース盤早見帳であって、
複数の建機メーカーのそれぞれに対応した索引タブを小口部に有するページ群を備え、
前記ページ群のうち、前記複数の建機メーカーに含まれる一の建機メーカーの名称が記された索引タブを有するページには、前記一の建機メーカーによる建機の機種名から当該建機のバケットに適合する適合ツース盤を選定可能に構成された選定表が記され、
前記選定表は、前記機種名が記された機種表示部と、前記機種表示部に対応して配列されたバケット情報表示部及びツース盤情報表示部とを有し、
前記バケット情報表示部には、前記機種名に応じたバケットである対応バケットに関する情報が表示され、
前記ツース盤情報表示部は、前記対応バケットに適合するツース盤としての前記適合ツース盤が存在するか否かを示す適合表示部を含み、
前記適合表示部には、前記適合ツース盤が存在する場合には当該ツース盤の名称が表示され、前記適合ツース盤が存在しない場合にはその旨を示す情報が表示されている。
【考案の効果】
【０００８】
本考案によれば、バケットに適合するツース盤を調べ易く、簡便な適合ツース盤早見帳を提供することができる。
【図面の簡単な説明】
【０００９】
【図１】本考案の一実施形態に係る適合ツース盤早見帳の表紙を若干開いた状態における斜視図。
【図２】同上実施形態に係る適合ツース盤早見帳の索引タブを有するページを見開いた状態の平面図。
【図３】図２の一部を拡大した図であって、選定表の構成を説明するための図。
【考案を実施するための形態】
【００１０】
本考案の一実施形態について図面を参照して説明する。
【００１１】
本考案の一実施形態に係る適合ツース盤早見帳１は、図１に示すように冊子から構成され、縦に長い長方形状を有する。適合ツース盤早見帳１は、土木作業員等のユーザが現場で使用し易いように、例えば、片手に収まるサイズであって、作業着のポケットに収容可能なサイズで形成される。適合ツース盤早見帳１のサイズは任意であるが、例えば、縦１５ｃｍ以内、横１０ｃｍ以内であることが好ましい。なお、構成の理解を容易にするため、図１〜図３の各図には、適合ツース盤早見帳１の縦方向Ｖ及び横方向Ｈを示した。
【００１２】
適合ツース盤早見帳１は、複数のページから構成される本体２と、表紙３と、裏表紙４とを備える。
【００１３】
本体２は、複数の建機メーカーのそれぞれに対応した索引タブ５を小口部１ａに有するページ群２０を備える。小口部１ａは、適合ツース盤早見帳１の綴じ部分であるノド部１ｂとは反対側の端部に位置する。
【００１４】
索引タブ５は、複数の建機メーカーのそれぞれに対応して、ページ群２０を構成する各頁に設けられている。例えば、索引タブ５は、縦に長い長方形状をなし、該当ページを構成する紙と一体に形成される。本実施形態では、複数の建機メーカーとして、Ａ社〜Ｇ社の７社が用意されている。ページ群２０は、Ａ社〜Ｇ社の各々に対応したパートに分けられ、表紙３に近い頁数からＡ社〜Ｇ社の順で各社に対応したパートが収録されて構成される。なお、一の建機メーカーに対応するパートのページ数は、当該建機メーカーによって提供される建機の種類の多さに応じる。
【００１５】
ページ群２０のうち、一の建機メーカーに対応するパートを構成するページには、当該建機メーカーの名称が記された索引タブ５が設けられる。例えば、Ａ社に対応するパートを構成するページには、Ａ社の名称が記された索引タブ５が設けられる。Ａ社に対応するパートが複数のページから構成される場合、当該複数のページの各々に設けられた索引タブ５は、適合ツース盤早見帳１が閉じられた状態において、適合ツース盤早見帳１の厚み方向で互いに重なる位置に設けられる。Ｂ社〜Ｇ社に対応する各パートについてもパートと索引タブ５の関係は同様である。
【００１６】
各社に対応する索引タブ５は、適合ツース盤早見帳１の縦方向に沿って、Ａ社〜Ｇ社の順で配置されている。前述のように、ページ群２０は表紙３に近い頁数からＡ社〜Ｇ社の順で各社に対応したパートを有するため、各社に対応する索引タブ５は、Ａ社〜Ｇ社の順で表紙３から裏表紙４に向かって近付く段状をなす。
【００１７】
ページ群２０のうち、複数の建機メーカー（Ａ社〜Ｇ社）に含まれる一の建機メーカーの名称が記された索引タブ５を有するページには、図２及び図３に示すように、当該一の建機メーカーによる建機の機種名から当該建機のバケットに適合する適合ツース盤を選定可能に構成された選定表６が記されている。選定表６の構成はＡ社〜Ｇ社で同様のため、以下では、Ａ社に対応した選定表６を例に、選定表６の構成を説明する。なお、選定表６を構成する罫線、文字及び記号は、印刷によって該当ページに記される。その他、適合ツース盤早見帳１に表示される種々の情報も印刷によって記される。
【００１８】
図２は、Ａ社の名称が記された索引タブ５を有するページを見開いた状態の適合ツース盤早見帳１の平面図である。図３は、図２の一部を拡大した図である。以下では、図２に示すように、索引タブ５を有するページを見開くと現れる２つのページのうち、表紙３により近いページを若番ページ２１と言い、若番ページ２１に隣接するページを隣接ページ２２と言う。選定表６は、若番ページ２１及び隣接ページ２２の各々に記される。若番ページ２１及び隣接ページ２２の各々に記される選定表６の構成は同様であるため、以下では、若番ページ２１に記された選定表６を主に説明する。
【００１９】
図２、図３に示すように、選定表６は、その上下方向が適合ツース盤早見帳１の横方向Ｈに対応し、その左右方向が適合ツース盤早見帳１の縦方向Ｖに対応して構成されている。図２に示すように、若番ページ２１に記された選定表６と、隣接ページ２２に記された選定表６の上下は一致する。なお、以下の説明で用いる上下左右は、選定表６に対する方向を示す。また、図３に選定表６に対する上下左右の各方向を示した。
【００２０】
選定表６は、建機の一機種に対応する機種対応部７と、機種対応部７が有する各欄の内容をユーザに把握させるための見出し部８と、を備える。機種対応部７は、選定表６の左右方向に沿って延びる帯状をなすと共に、選定表６に記載可能な建機の機種の数に応じて選定表６の上下方向に複数並べられている。見出し部８は、機種対応部７の上方に設けられ、機種対応部７が有する各欄に対応した見出し欄を有する。
【００２１】
図３に拡大して示すように、機種対応部７は、機種表示部７０と、バケット情報表示部７１と、ツース盤情報表示部７２と、を備える。
【００２２】
（機種表示部７０）
機種表示部７０は、Ａ社の建機の機種名が記された欄から構成される。なお、機種表示部７０には、付加情報が記されていてもよい。付加情報は、例えば、機種が現行タイプか否かの情報、ツース盤の取り付け態様が縦ピン式か横ピン式を示す情報などである。見出し部８において、機種表示部７０の上方に位置する欄には、機種表示部７０に記された情報が「機種名」であることを示す見出しが記される。
【００２３】
（バケット情報表示部７１）
バケット情報表示部７１は、機種表示部７０の右隣りに位置し、機種表示部７０に記された機種名に応じたバケットである対応バケットに関する情報が表示される。例えば、「Ａ０１」という機種名が表示された機種表示部７０の右隣りに位置するバケット情報表示部７１には、「Ａ０１」の対応バケットに関する情報が表示される。
【００２４】
具体的に、バケット情報表示部７１は、機種表示部７０の近くから順に配列された、仕様欄７１ａ、アダプタ欄７１ｂ、爪数欄７１ｃ及びバケットサイズ欄７１ｄを含んで構成される。
【００２５】
仕様欄７１ａは、対応バケットが標準仕様であるかオプション仕様であるかを示す。例えば、機種「Ａ０１」に対応した仕様欄７１ａは、選定表６の上下方向に沿って３つ設けられている。「ＳＴＤ」が記された仕様欄７１ａは、対応バケットが標準仕様であることが示す。「幅狭」、「幅広」が示された仕様欄７１ａは、対応バケットがオプション仕様であることを示す。見出し部８において、仕様欄７１ａの上方に位置する欄には、仕様欄７１ａの内容を把握可能なように「ＳＴＤ／ＯＰ」（スタンダード／オプション）という見出しが記されている。
【００２６】
なお、オプション仕様であることを示す仕様欄７１ａの数は、機種の種別に応じる。例えば、機種「Ａ０２」に対応した仕様欄７１ａを見ると、機種「Ａ０２」には、対応バケットとして、１つの標準仕様に加えて４つのオプション仕様が存在することが分かる。つまり、仕様欄７１ａは、機種表示部７０に記された１機種の名称に対して、対応バケットに存在する仕様の数だけ設けられる。アダプタ欄７１ｂ、爪数欄７１ｃ及びバケットサイズ欄７１ｄの各々は、１機種に対して設けられる仕様欄７１ａの数と対応する数だけ設けられる。
【００２７】
アダプタ欄７１ｂは、対応バケットに適合するアダプタに関する情報を示す。当該情報は、例えば、業界標準の表記である「１８」等の数字により示されるアダプタのサイズである。例えば、機種「Ａ０１」に対応したアダプタ欄７１ｂは、３つの仕様欄７１ａに記された仕様の各々に対応して、選定表６の上下方向に沿って３つ設けられている。機種「Ａ０１」に対応した３つのアダプタ欄７１ｂの各表記は、対応バケットの仕様によらず、対応バケットに適合するアダプタのサイズが「１８」であることを示している。見出し部８において、アダプタ欄７１ｂの上方に位置する欄には、アダプタ欄７１ｂに記された情報が「アダプタサイズ」であることを示す見出しが記される。
【００２８】
爪数欄７１ｃは、対応バケットに装着可能な爪数を示す。例えば、機種「Ａ０１」に対応した爪数欄７１ｃは、３つの仕様欄７１ａに記された仕様の各々に対応して、選定表６の上下方向に沿って３つ設けられている。見出し部８において、爪数欄７１ｃの上方に位置する欄には、爪数欄７１ｃに記された情報が「爪数」であることを示す見出しが記される。
【００２９】
バケットサイズ欄７１ｄは、対応バケットのサイズを示す。１つの仕様欄７１ａに対応するバケットサイズ欄７１ｄには、当該仕様欄７１ａに記載された仕様の対応バケットのバケット幅が記されると共に、サイドカッター幅も必要に応じて記される。サイドカッター幅は、バケットに設けられる１対のサイドカッターのうち一方の外面から他方の外面までの幅であり、バケット幅よりも大きい。例えば、バケットサイズ欄７１ｄの「３１０／３５０」という表記は、バケット幅が３１０ｍｍ、サイドカッター幅が３５０ｍｍであることを示す。見出し部８において、バケットサイズ欄７１ｄの上方に位置する欄には、バケットサイズ欄７１ｄに記された情報が「バケットサイズ（ｍｍ）」であることを示す見出しが記される。さらに、この見出しには、バケットサイズ欄７１ｄの内容を把握可能なように「ＢＫ幅／ＳＣ幅」（バケット幅／サイドカッター幅）という情報が付記されている。
【００３０】
（ツース盤情報表示部７２）
ツース盤情報表示部７２は、バケット情報表示部７１の右隣りに位置し、バケット情報表示部７１に記された対応バケットに適合するツース盤である適合ツース盤に関する種々の情報が表示される。例えば、「Ａ０１」の対応バケットに関する情報が表示されたバケット情報表示部７１の右隣りに位置するツース盤情報表示部７２には、「Ａ０１」の対応バケットに適合する適合ツース盤に関する情報が表示される。
【００３１】
具体的に、ツース盤情報表示部７２は、適合表示部７２ａと、商品情報表示部７２ｂと、注釈表示部９とを含んで構成される。
【００３２】
適合表示部７２ａは、対応バケットに適合する適合ツース盤が存在するか否かを示す。適合表示部７２ａには、適合ツース盤が存在する場合には当該ツース盤の名称が表示され、適合ツース盤が存在しない場合にはその旨を示す情報が表示されている。
【００３３】
例えば、「Ａ０１」という機種名に対応する機種対応部７において、「ＳＴＤ」と記された仕様欄７１ａに対応した適合表示部７２ａには、「Ｆ０１（３）」という適合ツース盤の名称が表示されている。一方、「Ａ０２」という機種名に対応する機種対応部７において、バケット情報表示部７１の表記が「幅狭」、「１８」、「３」、「２５０／３２０」である対応バケットに対応した適合表示部７２ａには、「−」という、適合ツース盤が存在しない旨を示す情報が表示されている。なお、適合ツース盤が存在しない場合に適合表示部７２ａに表示される情報は任意である。例えば、適合表示部７２ａが空欄であることも、適合ツース盤が存在しない旨を示す情報の表示に含まれる。見出し部８において、適合表示部７２ａの上方に位置する欄には、適合表示部７２ａに記された情報が「適合ツース盤」であることを示す見出しが記される。
【００３４】
商品情報表示部７２ｂは、適合表示部７２ａに適合ツース盤の名称が表示されている場合に、当該名称のツース盤の商品情報を表示する。この実施形態では、１つの仕様欄７１ａに対応した商品情報表示部７２ｂは、左右方向に並んだ２つの欄を含み、一方の欄にはバケット幅に応じた第１のタイプ（ＢＫ幅タイプ）の商品情報が記され、他方の欄にはサイドカッター幅（ＳＣ幅タイプ）に応じた第２のタイプの商品情報が記されている。ＳＣ幅タイプは、ＢＫ幅タイプよりも幅広のツース盤である。ユーザは、建機で行う作業内容に応じてツース盤のタイプを選択可能である。
【００３５】
例えば、「Ａ０１」という機種名に対応する機種対応部７において、「ＳＴＤ」と記された仕様欄７１ａに対応した商品情報表示部７２ｂには、「Ｆ０１（３）」という適合ツース盤の仕様を満たす商品として、ＢＫ幅タイプの商品コード「Ｔ０１２１」と、ＳＣ幅タイプの商品コード「Ｔ０１０１」とが区分されて記されている。
【００３６】
また、「Ａ０２」という機種名に対応する機種対応部７において、バケット情報表示部７１の表記が「幅狭」、「１８」、「３」、「２５０／３２０」である対応バケットに対応した適合ツース盤は存在しないため、このバケット情報表示部７１に対応する商品情報表示部７２ｂには、商品が存在しないことを示す「−」という記号が記されている。
【００３７】
また、「Ａ０２」という機種名に対応する機種対応部７において、バケット情報表示部７１の表記が「幅狭」、「１８」、「３」、「２８０／３５０」である対応バケットに対応した適合ツース盤は、適合表示部７２ａに「Ｆ０２（３）Ｃ１５」と表示されていることから存在していることが分かる。この適合表示部７２ａに対応する商品情報表示部７２ｂには、「Ｆ０２（３）Ｃ１５」という適合ツース盤の仕様を満たす商品が存在するものの、当該商品には商品コードが設定されていないことを示す「コードなし」という情報が記されている。このように「コードなし」の場合は、後述する注釈表示部９で、ユーザがツース盤を選定する際の注意事項が記される。
【００３８】
見出し部８において、商品情報表示部７２ｂの上方に位置する欄には、商品情報表示部７２ｂに記された情報が「商品コード」であることを示す見出しが記される。さらに、この見出しには、商品情報表示部７２ｂの内容を把握可能なように「ＢＫ幅タイプ／ＳＣ幅タイプ」という情報が付記されている。
【００３９】
注釈表示部９は、適合表示部７２ａに適合ツース盤の名称が表示されている場合に、当該名称のツース盤を選定する際の注意事項を知らせることが可能な表示部である。この実施形態では、注釈表示部９は、カット加工欄９１と、備考欄９２とを含む。カット加工欄９１は、適合表示部７２ａと商品情報表示部７２ｂの間に配置され、適合表示部７２ａに記された適合ツース盤に対するカット加工の実行可否、実行要否などに関する情報が記される。備考欄９２は、商品情報表示部７２ｂの右隣りに配置され、適合表示部７２ａに記された適合ツース盤に関する備考が記される。見出し部８において、カット加工欄９１の上方に位置する欄には、カット加工欄９１に記された情報が「カット加工」に関する事項であることを示す見出しが記される。また、見出し部８において、備考欄９２の上方に位置する欄には、備考欄９２に記された情報が「備考」であることを示す見出しが記される。
【００４０】
例えば、「Ａ０１」という機種名に対応する機種対応部７において、適合表示部７２ａの右隣りにあるカット加工欄９１には、「カット不可」の記載がある。この記載は、当該適合表示部７２ａに記載された「Ｆ０１（３）」「Ｆ０１（４）」「Ｆ０１（５）」という適合ツース盤に対応する商品に関しては、カット加工を施すことができない旨を示す。
【００４１】
また、「Ａ０２」という機種名に対応する機種対応部７において、「Ｆ０２（３）Ｃ１５」と表示された適合表示部７２ａに対応するカット加工欄９１には、ツース盤に「１５ｍｍカット」を施すことが必要である旨が記されている。そして、当該カット加工欄９１に対応する備考欄９２には「要カット依頼」という、ツース盤の供給者にカット加工を依頼する必要があることをユーザに知らせる情報が記されている。
【００４２】
また、「Ａ０２」という機種名に対応する機種対応部７において、「Ｆ０２（３）」、「Ｆ０２（４）」と表示された適合表示部７２ａの各々に対応する備考欄９２には「ＢＫ幅タイプは別途指示」との記載がある。この記載は、適合ツース盤を満たす商品であって、ＢＫ幅タイプのツース盤をユーザが選択する際には、別途の指示事項がある旨を知らせるものである。
【００４３】
ページ群２０及び選定表６の説明は以上である。以上ではＡ社に対応した選定表６を例に説明したが、他社に対応した選定表６も同様の態様で構成される。
【００４４】
表紙３には、図示しないが、適合ツース盤早見帳１を用いて、適合ツース盤を選定する際の手順が記される。例えば、表紙３には、「ＳＴＥＰ１：建機の機種名を選択、ＳＴＥＰ２：選択した機種に応じたバケット情報を確認、ＳＴＥＰ３：確認したバケット情報に適合するツース盤を選定」といった手順を示す文章が箇条書きで記載される。なお、表紙３に記載される手順の内容は任意であり、より簡素であってもよいし、より詳細であってもよい。
【００４５】
裏表紙４には、図示せぬ任意の情報が記される。例えば、裏表紙４には、適合ツース盤早見帳１のユーザにとって便利な種々の便利情報が記される。例えば、便利情報は、初心者向けの作業指導手順を示す動画がアップロードされたウェブサイトの情報（例えば、当該ウェブサイトのアドレスを示す二次元バーコード）、発注及び選定だけでなく現場での適合ツース盤の確認にも使用可能であることを知らせる情報などである。本実施形態に係る適合ツース盤早見帳１の説明は以上である。
【００４６】
（１）以上に説明した実施形態に係る適合ツース盤早見帳１は、複数の建機メーカーのそれぞれに対応した索引タブ５を小口部１ａに有するページ群２０を備える。ページ群２０のうち、複数の建機メーカーに含まれる一の建機メーカーの名称が記された索引タブ５を有するページには、当該一の建機メーカーによる建機の機種名から当該建機のバケットに適合する適合ツース盤を選定可能に構成された選定表６が記される。
選定表６は、建機の機種名が記された機種表示部７０と、機種表示部７０に対応して配列されたバケット情報表示部７１及びツース盤情報表示部７２とを有する。バケット情報表示部７１には、前記機種名に応じたバケットである対応バケットに関する情報が表示される。ツース盤情報表示部７２は、対応バケットに適合するツース盤としての適合ツース盤が存在するか否かを示す適合表示部７２ａを含む。適合表示部７２ａには、適合ツース盤が存在する場合には当該ツース盤の名称が表示され、適合ツース盤が存在しない場合にはその旨を示す情報が表示されている。
【００４７】
上記（１）の構成によれば、ユーザは、使用する建機のメーカーの索引タブ５から当該建機の機種名が記されたページを開き、その機種名が表示された機種表示部７０から、バケット情報表示部７１及びツース盤情報表示部７２に記された情報を即座に把握することができる。そして、ユーザは、ツース盤情報表示部７２の適合表示部７２ａを見ることで、使用する建機のバケットに適合する適合ツース盤を迅速に選定することができる。また、適合ツース盤早見帳１は、手帳型の冊子で構成されるため、持ち運び易く、現場においても使い易い。したがって、適合ツース盤早見帳１は、バケットに適合するツース盤を調べ易く、簡便である。
【００４８】
（２）バケット情報表示部７１は、対応バケットが標準仕様であるかオプション仕様であるかを示す仕様欄７１ａと、対応バケットに適合するアダプタに関する情報を示すアダプタ欄７１ｂと、対応バケットに装着可能な爪数を示す爪数欄７１ｃと、対応バケットのサイズを示すバケットサイズ欄７１ｄと、を含んで構成される。
【００４９】
上記（２）の構成によれば、ユーザは、使用する建機のバケットに関する種々の情報を一度に把握でき、便利である。なお、適合ツース盤を選定できる限りにおいては、バケット情報表示部７１に含まれる各欄の一部を省略してもよい。つまり、バケット情報表示部７１は、仕様欄７１ａ、アダプタ欄７１ｂ、爪数欄７１ｃ及びバケットサイズ欄７１ｄの少なくともいずれかを含んでいればよい。
【００５０】
（３）バケット情報表示部７１は、バケットサイズ欄７１ｄを含む。そして、バケットサイズ欄７１ｄには、対応バケットのバケット幅が記されると共に、サイドカッター幅も必要に応じて記されている。また、ツース盤情報表示部７２は、適合表示部７２ａに適合ツース盤の名称が表示されている場合に、当該名称のツース盤の商品情報を表示する商品情報表示部７２ｂをさらに含む。商品情報表示部７２ｂは、商品情報として、バケット幅に応じた第１のタイプ（例えばＢＫ幅タイプ）、及び、サイドカッター幅に応じた第２のタイプ（例えばＳＣ幅タイプ）の各々に対応した情報を表示可能である。
【００５１】
上記（３）の構成によれば、ユーザは、使用する建機のバケットのバケット幅及びサイドカッター幅を容易に把握することができる。また、ユーザは、建機で行う作業に応じて必要な適合ツース盤の商品として、第１のタイプと第２のタイプを容易に選択可能である。
【００５２】
（４）ツース盤情報表示部７２は、適合表示部７２ａに適合ツース盤の名称が表示されている場合に、当該名称のツース盤を選定する際の注意事項を知らせることが可能な注釈表示部９をさらに含む。
【００５３】
上記（４）の構成によれば、ユーザに、選定可能な適合ツース盤に加えて、ツース盤を選定する際の注意事項を知らせることができる。
【００５４】
（５）適合ツース盤早見帳１は、適合ツース盤を選定する際の手順が記された表紙３をさらに備える。
【００５５】
上記（５）の構成によれば、ユーザによって、より使い易い適合ツース盤早見帳１を提供することができる。
【００５６】
なお、本考案は以上の実施形態及び図面によって限定されるものではない。本考案の要旨を変更しない範囲で、適宜、変更（構成要素の削除も含む）を加えることが可能である。
【００５７】
（変形例）
適合ツース盤早見帳１の本体２は、索引タブ５を有するページ群２０以外の他のページ群を含んでいてもよい。例えば、他のページ群は、ツース盤の情報からバケットの情報を調べることが可能な表、トラブルシューティング、ツース盤のバケットへの取り付け方法など種々の情報が記されたパートを含んでいてもよい。
【００５８】
適合ツース盤早見帳１のサイズ、構成、形状、材質等は、本考案の目的を達成することができる限りにおいては任意に変更可能である。例えば、適合ツース盤早見帳１は、横長の長方形状であってもよい。また、索引タブ５の形状、材質も任意に変更可能である。
【００５９】
選定表６の構成も、本考案の目的を達成することができる限りにおいては任意に変更可能である。例えば、選定表６は、その上下方向が適合ツース盤早見帳１の縦方向Ｖに対応し、その左右方向が適合ツース盤早見帳１の横方向Ｈに対応して構成されてもよい。また、注釈表示部９を備考欄９２に集約し、カット加工に関する情報を備考欄９２に纏めて記してもよい。
【００６０】
以上に例示した建機メーカー名、機種名、バケット及びツース盤に関する各種情報は、仮想的なものである。実際には、実在する建機メーカー名などの各種情報が適合ツース盤早見帳１に記されることは勿論である。
【符号の説明】
【００６１】
１…適合ツース盤早見帳
１ａ…小口部、１ｂ…ノド部
２…本体、２０…ページ群、２１…若番ページ、２２…隣接ページ
３…表紙、４…裏表紙、５…索引タブ、６…選定表
７…機種対応部
７０…機種表示部
７１…バケット情報表示部
７１ａ…仕様欄、７１ｂ…アダプタ欄、７１ｃ…爪数欄、７１ｄ…バケットサイズ欄
７２…ツース盤情報表示部
７２ａ…適合表示部、７２ｂ…商品情報表示部
８…見出し部
９…注釈表示部、９１…カット加工欄、９２…備考欄
【図１】
0003231834.tif 000003
【図２】
0003231834.tif 000004
【図３】
0003231834.tif 000005